(57)【要約】      （修正有）【課題】片手で簡単にキャディーバッグやゴルフカートに掛けたり取り外したりすることができる、ゴルフバッグを提供する。【解決手段】一方に把手を有するバッグ本体１０の他方の上端部前面と下端部前面とに、バッグ本体の外側面の長手方向に添う支柱４０を固定し、この支柱の上部には一対のスタンド脚２０のブラケット２１を連結すると共に、支柱の下部には、スタンド脚が、バッグ本体の外側面の長手方向に添う収縮位置と、収縮位置より前進すると共に左右方向に拡開してバッグ本体を前傾状態で支持する拡開位置とに回動する作動部材３０を上下方向にガイドするガイド部材４１を連結し、さらに、支柱の上方又はバッグ本体の開口縁部には外向きのフック５０を延設した。【選択図】図３
0003191244.tif 000002
【実用新案登録請求の範囲】
【請求項１】
一方に把手を有する有底筒状のバッグ本体と、バッグ本体の他方の上部前面に、上端部をブラケットに枢支して前後かつ左右方向に拡開収縮する一対のスタンド脚と、この一対のスタンド脚が、バッグ本体の外側面の長手方向に添う収縮位置と、該収縮位置より前進すると共に左右方向に拡開してバッグ本体を前傾状態で支持する拡開位置とに回動する作動部材と、この作動部材の上端部は、前記スタンド脚の前記ブラケットに枢支された一対の連結部材に連結されると共に、該作動部材の下端部には、バッグ本体を支えて傾きに連動してスタンド脚を開閉させ接地される接地部とを備え、このゴルフバッグを使用するときには、前記作動部材の接地部を接地してバッグ本体を押下げることにより、前記一対のスタンド脚を前方へ移動させて拡開状態にし、ゴルフバッグを前傾姿勢に保持させる一方、このゴルフバッグを不使用のときには、前記ゴルフバッグを前傾姿勢より解除することにより、前記一対のスタンド脚が収縮方向へ自動的に復帰して折り畳み状態になるようにしてあるスタンド脚付きゴルフバッグにおいて、
前記バッグ本体の他方の上端部前面と下端部前面とには、バッグ本体の外側面の長手方向に添う支柱を固定し、
この支柱の上部には前記スタンド脚のブラケットを連結すると共に、該支柱の下部には、前記作動部材を上下方向にガイドするガイド部材を連結し、
さらに、前記支柱の上方又はバッグ本体の開口縁部には外向きのフックを延設したことを特徴とするスタンド脚付きゴルフバッグ。
【請求項２】
前記バッグ本体の上端部には円形筒状リングを固定し、この円形筒状リングの一方側に前記把手の基端部を固定すると共に、他方側に前記支柱の上端部を固定する一方、バッグ本体の下端部前面には固定部材を固定して、この固定部材に前記支柱の下端部を固定し、さらに前記円形筒状リングの他方側の一部には前記フックが一体に形成してあることを特徴とする請求項１に記載のスタンド脚付きゴルフバッグ。
【請求項３】
前記一対の連結部材同士間には、ゴルフバッグ不使用時に、前記一対のスタンド脚が常時に折り畳み状態になるように付勢したバネ部材を設けてなることを特徴とする請求項１または請求項２に記載のスタンド脚付きゴルフバッグ。
【考案の詳細な説明】
【技術分野】
【０００１】
本考案は、スタンド脚付きゴルフバッグに係わり、特に、ゴルフ場でのラウンドプレー中において、数本のゴルフクラブを収納して、プレーヤー自身が持ち歩くのに好適な小型のスタンド脚付きゴルフバッグに関する。
【背景技術】
【０００２】
一般的に、ゴルフ場でのラウンドプレー中においては、パター以外の全てのゴルフクラブを収納したキャディバッグを、ゴルフカートに載せておき、所定ホールのピンまでの距離に対応して必要なゴルフクラブをキャディバッグから取り出してプレーしていた。
【０００３】
そのため、プレーヤーは、所望のゴルフクラブをキャディバッグから取り出すため、ボールの位置と、所定のカート道を走行するゴルフカートとの間を何度も歩いて往復しなければならず、面倒であるばかりか、プレーが遅くなるなどの問題があった。
【０００４】
このような問題を解消するため、例えば、特開２０１１−１６１００２号公報（特許文献１）記載のゴルフクラブケースなどが提案されている。
【０００５】
この特許文献１のゴルフクラブケースは、ゴルフクラブの収納部を備えた本体部と、前記本体部の上部に形成した開口部と、前記本体部の上部に備えた把持部と、前記収納部内面のほぼ中央部にゴルフクラブのシャフトと接触する滑り止め部とを設けたものである。
【０００６】
この特許文献１のゴルフクラブケースによれば、ティーショット後に使用するゴルフクラブとして、例えばフェアウェーウッド、ピッチングウェッジ、サンドウエッジ、パター、その他のアイアンなどから３〜５本程度の数本のゴルフクラブを選択して、このゴルフクラブに収納し、ラウンドプレー中にプレーヤ自身が持ち歩いて競技することができる。そのため、ボールの位置とゴルフカートとの間を往復走行する必要がなくなり、従来のような面倒さがなく、しかもプレー時間が短縮できる利点がある。
【０００７】
また、キャディバッグとして、スタンド脚付きゴルフバッグが、例えば、実開平６−４８７２５号公報（特許文献２）記載の支持スタンド付きゴルフバッグが提案されている。
【０００８】
特許文献２の支持スタンド付きゴルフバッグは、バッグ本体の一方に取っ手、バッグ本体の他方の上部分に取り付けられたピボット部材、上記ピボット部材に上端でそれぞれピボットで取り付けられた一対の脚、脚の残余に対して９０°に折り曲げられる前記上端とその傾斜状態と直立状態間のバッグ本体の変動によるそれらの拡げられた状態と折り畳まれた状態との間で脚を動かすために備え付けた作動部材、上記Ｕ型作動部材の下端とバッグ本体の上記他方の下部分にピボットで連結され、作動部材が脚をそれらの拡げられた状態に移すようバッグ本体のその傾斜状態への移動に応じて作動部材を駆動すべく適応された駆動手段、作動部材の両上端をそれぞれの脚にピボットで連結するよう適応された連結手段、常に脚をそれらの折り畳まれた状態に駆り立てるように適応された弾性手段を備えているものである。
【０００９】
この特許文献２の支持スタンド付きゴルフバッグによれば、ゴルフバッグが傾斜状態になる場合に脚が容易に拡げられ、ゴルフバッグが直立状態になる場合に自動的に折り畳まれるという利点がある。
【先行技術文献】
【特許文献】
【００１０】
【特許文献１】特開２０１１−１６１００２号公報
【特許文献２】実開平６−４８７２５号公報
【考案の概要】
【考案が解決しようとする課題】
【００１１】
しかるに、特許文献１のゴルフクラブケースは、前述したように、ボールの位置とゴルフカートとの間を往復走行する必要がなく、プレー時間も短縮できる利点がある。また、特許文献１のゴルフクラブケースは、その図６に示されているように、把持部４をキャディーバッグ５０の開口部５１に掛けることができるし、図１２に示された把持部３４をキャディーバッグの口枠やゴルフカート６０の枠に掛けることができることが開示されている。しかしながら、この特許文献１の把持部４，３４は、本来的には把手として機能するものであるので、前記キャディーバッグ５０やゴルフカート６０に掛けたり又は取り外したりする場合には、該把持部４、３４を両手で向きを替えて掛けたり取り外したりする煩わしい操作が必要であった。
【００１２】
また、特許文献１のゴルフクラブケースの本体部は柔軟な生地で構成して持ち運びに便利なようにしているが、特許文献２や本願考案のような、一対のスタンド脚、作動部材、連結部材や接地部等を有するスタンド機能はないもので、その構成が異なる。
【００１３】
特許文献２のスタンド脚付きゴルフバッグは、いわゆるスタンド式のキャディーバッグに属するものである。それゆえ、このゴルフバッグは数本のゴルフクラブを収納して、ラウンドプレー中に、プレーヤー自身が持ち歩いてプレーできる、本願考案のような小型のゴルフバッグとは目的、構成効果が異なるものである。
【００１４】
仮に、この特許文献２のスタンド脚付きゴルフバッグを、数本のゴルフクラブが収納できる小型のゴルフバッグとして設計変更したとしても、特許文献１の場合のように、バッグ本体の一方に設けた取っ手をキャディーバッグやゴルフカートに掛けたり又は取り外したりする場合には、該取っ手を両手で向きを替えて掛けたり取り外したりする煩わしい操作が必要である。
【００１５】
また、特許文献２のゴルフバッグには、バッグ本体の他方の底部に固定された固定部材に、作動部材が拡げられた状態にするための水平駆動部材を必要とするため、構造が複雑となる難点がある。
【００１６】
本考案は、従来例の特許文献１・２の有する前述の問題を解消しようとするものでありる。すなわち、バッグ本体の一方に設けた把手のほかに、バッグ本体の他方にフックを設け、このゴルフバッグのフックをキャディーバッグやゴルフカートに掛けたり又は取り外したりする場合には、前記把手を一方の手で持ちながら、そのままの状態で、フックをキャディーバッグの口枠やゴルフカートの枠（網）に掛けたり取り外したりすることができる。つまり、従来例のように把手を両手で向きを替える必要がなく、片手で簡単にフックをキャディーバッグやゴルフカートに掛けたり取り外したりすることができる。また、バッグ本体の外側面の長手方向に添う支柱を、バッグ本体の他方に固定することにより、従来例に比べて頑丈なスタンド脚付きゴルフバッグを提供することを主な目的とする。
【課題を解決するための手段】
【００１７】
上記目的を達成するため、本考案の請求項１のスタンド脚付きゴルフバッグは、一方に把手を有する有底筒状のバッグ本体と、バッグ本体の他方の上部前面に、上端部をブラケットに枢支して前後かつ左右方向に拡開収縮する一対のスタンド脚と、この一対のスタンド脚が、バッグ本体の外側面の長手方向に添う収縮位置と、該収縮位置より前進すると共に左右方向に拡開してバッグ本体を前傾状態で支持する拡開位置とに回動する作動部材と、この作動部材の上端部は、前記スタンド脚の前記ブラケットに枢支された一対の連結部材に連結されると共に、該作動部材の下端部には、バッグ本体を支えて傾きに連動してスタンド脚を開閉させ接地される接地部とを備え、このゴルフバッグを使用するときには、前記作動部材の接地部を接地してバッグ本体を押下げることにより、前記一対のスタンド脚を前方へ移動させて拡開状態にし、ゴルフバッグを前傾姿勢に保持させる一方、このゴルフバッグを不使用のときには、前記ゴルフバッグを前傾姿勢より解除することにより、前記一対のスタンド脚が収縮方向へ自動的に復帰して折り畳み状態になるようにしてあるスタンド脚付きゴルフバッグにおいて、
前記バッグ本体の他方の上端部前面と下端部前面とには、バッグ本体の外側面の長手方向に添う支柱を固定し、
この支柱の上部には前記スタンド脚のブラケットを連結すると共に、該支柱の下部には、前記作動部材を上下方向にガイドするガイド部材を連結し、
さらに、前記支柱の上方又はバッグ本体の開口縁部には外向きのフックを延設したことを特徴とする。
【００１８】
ここで、「外向きのフック」は、実施形態１・２で示されているように、支柱の一直線上の上方に設けるのが好ましいが、バッグ本体の開口縁部の左側部又は右側部（つまり支柱と離間した別個所）に設けることもでき、その取付位置は、適宜選定することができる。また、前記フックの形状は、ゴルフカート等に掛け易く取り外ししやすければ任意である。
【００１９】
請求項２のスタンド脚付きゴルフバッグは、請求項１において、前記バッグ本体の上端部には円形筒状リングを固定し、この円形筒状リングの一方側に前記把手の基端部を固定すると共に、他方側に前記支柱の上端部を固定する一方、バッグ本体の下端部前面には固定部材を固定して、この固定部材に前記支柱の下端部を固定し、さらに前記円形筒状リングの他方側の一部には前記フックが一体に形成してあることを特徴とする。
ここで「円形状リング」の「円形」とは、平面から見て、真円に限らず楕円やその他異形の円形も含む広義のものである。
【００２０】
これは把手と支柱とをバッグ本体に固定することや、フックが一体に成形されていることを、より具体的に構成したものである。
【００２１】
請求項３のスタンド脚付きゴルフバッグは、請求項１又は２において、前記一対の連結部材同士間には、ゴルフバッグ不使用時に、前記一対のスタンド脚が常時に折り畳み状態になるように付勢したバネ部材を設けてなることを特徴とする。
前記バネ部材を設けることにより、前記一対のスタンド脚が確実に折り畳み状態となる。しかしながら、この考案では、前記作動部材自体が折り畳み状態になるように構成してあるので、前記バネ部材を省略した構成でもよい。
【考案の効果】
【００２２】
請求項１のスタンド脚付きゴルフバッグによれば、前記バッグ本体の他方の上端部前面と下端部前面とには、バッグ本体の外側面の長手方向に添う支柱を固定し、前記支柱の上方又はバッグ本体の開口縁部には外向きのフックを延設している。
すなわち、本考案は、バッグ本体の一方に設けた把手のほかに、バッグ本体の他方にフックを設け、このゴルフバッグをキャディーバッグやゴルフカートに掛けたり又は取り外したりする場合には、前記把手を一方の手で持ちながら、そのままの状態で、フックをキャディーバッグの口枠やゴルフカートの枠（網）に掛けたり取り外したりすることができる。つまり、従来例のように把手を両手で向きを替える必要がなく、片手で簡単にフックをキャディーバッグやゴルフカートに掛けたり取り外したりすることができる。
【００２３】
また、請求項１のスタンド脚付きゴルフバッグは、数本のゴルフクラブを収納して、ラウンドプレー中にプレーヤ自身が持ち歩いて競技できるので、ボールの位置とゴルフカートとの間を往復走行する必要がないと共に、プレー時間の短縮化が図れる。
【００２４】
さらに、前記支柱はバッグ本体の他方の上端部前面と下端部前面とに固定するとともに、支柱の上部には前記スタンド脚のブラケットを連結すると共に、該支柱の下部には前記作動部材を上下方向にガイドするガイド部材を連結してあるから、バッグ本体の外側面の長手方向に添う支柱を、バッグ本体の他方に固定することにより、従来例に比べて頑丈なスタンド脚付きゴルフバッグを提供することができる。
【００２５】
請求項２のスタンド脚付きゴルフバッグによれば、前記バッグ本体の上端部には円形筒状リングを固定し、この円形筒状リングの一方側に前記把手の基端部を固定すると共に、他方側に前記支柱の上端部を固定する一方、バッグ本体の下端部前面には固定部材を固定して、この固定部材に前記支柱の下端部を固定し、さらに前記円形筒状リングの他方側の一部には前記フックが一体に形成してあることから、前記支柱と作動部材とスタンド脚との相乗効果により、ゴルフバッグ使用時には前記スタンド脚が確実に拡開して前傾姿勢が安定して保持される一方、ゴルフバッグ不使用時には上記前傾姿勢を解除するだけで、スタンド脚が自動的に収縮され安定した折り畳み状態に保持される。このように、支柱と作動部材と一対のスタンド脚との３個の骨組部材により、安定かつ強固に開脚又は閉脚状態が保持される利点がある。
【００２６】
請求項３のスタンド脚付きゴルフバッグによれば、前記一対の連結部材同士間には、ゴルフバッグ不使用時に、前記一対のスタンド脚が常時に折り畳み状態になるように付勢したバネ部材を設けているから、前記一対のスタンド脚が確実に折り畳み状態にできる。
【図面の簡単な説明】
【００２７】
【図１】一対のスタンド脚を拡開してゴルフバッグを前傾姿勢に保持した状態の実施形態１の斜視図である。
【図２】図１と同様の実施形態１の斜視図である。
【図３】図２の左側面から見た正面図である。
【図４】図２の右側面から見た背面図である。
【図５】図３のブラケット周辺を拡大して示した部分拡大図である。
【図６】図３の下部を左側面から見た一部拡大図である。
【図７】図３の下部を正面から見た一部拡大斜視図である。
【図８】図３の前傾姿勢状態から一対のスタンド脚が折り畳み状態に保持された状態の正面図である。
【図９】一対のスタンド脚を拡開してゴルフバッグを前傾姿勢に保持した状態の実施形態２の正面図である。形態２の正面図である。
【図１０】図９の上部を拡大して示した一部拡大斜視図である。
【図１１】図９のブラケット周辺を拡大して示した部分拡大図である。
【図１２】図９の平面図である。
【図１３】図９の前傾姿勢状態から一対のスタンド脚が折り畳み状態に保持された状態の正面図である。
【考案を実施するための形態】
【００２８】
（実施の形態１）
本考案の実施の形態１を図１〜図８に基づいて以下に説明する。
図１〜図４において、１はスタンド脚付きゴルフバッグであって、このスタンド脚付きゴルフバッグ１は、一方に把手１１を有する有底筒状のバッグ本体１０と、バッグ本体１０の他方の上部前面に、上端部をブラケット２１に枢支して前後かつ左右方向に拡開収縮する一対のスタンド脚２０、２０と、この一対のスタンド脚２０、２０が、バッグ本体１０の外側面の長手方向に添う収縮位置と、該収縮位置より前進すると共に左右方向に拡開してバッグ本体１０を前傾状態で支持する拡開位置とに回動する作動部材３０と、この作動部材３０の上端部は、前記スタンド脚２０の前記ブラケット２１に枢支された一対の連結部材２２、２２に連結されると共に、該作動部材３０の下端部には、バッグ本体１０を支えて傾きに連動してスタンド脚２０、２０を開閉させ接地される接地部３５とを備えている。
【００２９】
そして、このゴルフバッグを使用するときには、前記作動部材３０の接地部３５を接地してバッグ本体１０を押下げることにより、前記一対のスタンド脚２０、２０を前方へ移動させて拡開状態にし、ゴルフバッグを前傾姿勢に保持させる。一方、このゴルフバッグを不使用のときには、前記ゴルフバッグを前傾姿勢より解除することにより、前記一対のスタンド脚２０、２０が収縮方向へ自動的に復帰して折り畳み状態になるようにしてある。
【００３０】
以上の構成において、本考案は、  前記バッグ本体の他方の上端部前面と下端部前面とには、バッグ本体１０の外側面の長手方向に添う支柱４０を固定し、この支柱４０の上部には前記スタンド脚２０、２０のブラケット２１を連結すると共に、該支柱４０の下部には、前記作動部材３０を上下方向にガイドするガイド部材４１を連結し、さらに、前記支柱４０の上方又はバッグ本体１０の開口縁部には外向きのフック５０を延設したことを特徴とする。
【００３１】
これを、より具体的に以下に説明する。
バッグ本体１０は、ナイロンその他合成樹脂や合成皮革等で有底筒状に形成された本体部１０Ａと、この本体部１０Ａの上端部に形成されて、数本のゴルフクラブを出し入れする収納部（図示せず）と連通した開口部１０ａ内に嵌装した断面円形や楕円形状の筒状リング１２と、該本体部１０Ａの下端部の内側に固定された底板部１０ｂとからなっている。
【００３２】
前記円形筒状リング１２は、発泡ポリエチレンなどでバッグ本体１０の開口部１０ａ内に嵌装して、該開口部１０ａが保持されるように保形機能を有している。この円形筒状リング１２の一方側には、前記把手１１の基端部１１ａと取付部材の下端部１１ｂとをリベット１３等で固定してある。
【００３３】
また、円形筒状リング１２の他方側には、前記支柱４０の上端部が固定されている。この実施形態１では、横板１５と、該横板１５の前面中央部に形成した支柱取付部１６と、横板１５の上端中央部より上方に突設した外向きのフック５０とを有する取付部材１４を設け、この取付部材１４の横板１５を前記円形筒状リング１２の他方側の上端部外面にリベット１７等で固定してある。前記支柱取付部１６には支柱４０用のガイド孔（図示せず）が形成され、このガイド孔に支柱４０の上端部を嵌挿して固定している。
【００３４】
そして、円形筒状リング１２の上部外周面から内周面にかけて、合成樹脂製などのカバー１８が巻装されている。
【００３５】
また、バッグ本体１０の下端部前面には、横板４３と、該横板４３の中央部前方に突設した挿通穴４４ａを有する支柱取付部４４とからなる固定部材４２をリベット４５等で固定している。この固定部材４２に形成された挿通穴４４ａに、前記支柱４０の下端部を挿通して固定している（図７参照）。
この固定部材４２より少し上方に設けた前記ガイド部材４１は、水平断面が２個の挿通穴４１ａ、４１ｂを有する日の字状に形成し、一方の挿通穴４１ａに支柱４０を嵌挿して固定部材４１ｃで支柱４０を固定していると共に、他方の挿通穴４１ｂに略細長でＶ字状に形成された作動部材３０の下部が嵌挿されている（図６参照）。
【００３６】
前記一対のスタンド脚２０、２０は、細長のパイプ状に形成されている。図５に示されているように、該スタンド脚２０の上端部は、水平状短管２２ａと垂直状短管２２ｂからなる連結部材２２の垂直状短管２２ｂに嵌挿され、固定部材（図示せず）で固定されている。そして、連結部材２２の水平状短管２２ａの一端部は、前記ブラケット２１の左右両側壁に形成したガイド孔２１ａに嵌挿して回動自在に枢着されている。
【００３７】
連結部材２２の垂直状短管２２ｂの下端部内側には、図３及び図５で示すように、作動部材３０を取り付けるための作動部材取付体２３を一体に設けている。この作動部材取付体２３に、作動部材３０の上端部の折曲部３１を固定している。
【００３８】
この一対のスタンド脚２０、２０が、バッグ本体１０の外側面の長手方向に添う収縮位置（つまり折り畳み状態）にあるときは、一対のスタンド脚２０、２０はバッグ本体１０の前面に被覆されたゴルフバッグ不使用状態に保持される(図８参照）。
【００３９】
上記ゴルフバッグ不使用状態から使用状態にするときには、前述したように、作動部材３０の接地部３５を接地してバッグ本体を押し下げて、一対のスタンド脚２０、２０を前方に移動させてハの字状の拡開状態にして、ゴルフバッグを前傾姿勢にする（図１〜図５参照）。
なお、連結部材２２の水平状短管２２ａにはストッパー（図示せず）を設け、一対のスタンド脚２０、２０の拡開角度を規制することができる。
【００４０】
なお、この実施形態１において、図５に仮想線で示すように、前記一対の連結部材２２、２２同士間には、ゴルフバッグ不使用時に、前記一対のスタンド脚２０、２０が常時に折り畳み状態になるように付勢したコイルバネ等のバネ部材２５を設けることもできる。
また、図１、図４で６０は肩掛けベルト、図１、図２で６１はメッシュポケット、６２はポケット、６３はグローブホルダー、図１〜図４、図６〜図８で６４は、一対のスタンド脚２０、２０、作動部材３０及び支柱４０が不使用時に揺動したりしないように固定するための帯状のファスナーである。
【００４１】
（実施の形態２）
図９〜図１３は、本考案の実施の形態２を示すものである。
前記実施の形態１では、フック５０の形状が、図１〜図３に示されているように、一枚の平板の上部を鉤状に折り曲げ全体として角形状のフックとしたものであるに対し、この実施の形態２では、図９〜図１３に示されているように、一本の丸棒の上部を鉤状に折り曲げ全体として丸味を呈したフックとしたものである点で異なる。
【００４２】
しかし、この実施の形態２は、上記フック５０以外の構造、作用効果等は、実施の形態１と同一である。
従って、図９〜図１３においては、図１〜図８の符号と同一符号を付して、それらの詳細な説明も省略した。
【符号の説明】
【００４３】
１      スタンド脚付きゴルフバッグ
１０    バッグ本体
１１    把手
１２    円形筒状リング
２０    スタンド脚
２１    ブラケット
２２    連結部材
２５    バネ部材
３０    作動部材
３５    接地部
４０    支柱
４１    ガイド部材
４２    固定部材
５０    フック
【図１】
0003191244.tif 000003
【図２】
0003191244.tif 000004
【図３】
0003191244.tif 000005
【図４】
0003191244.tif 000006
【図５】
0003191244.tif 000007
【図６】
0003191244.tif 000008
【図７】
0003191244.tif 000009
【図８】
0003191244.tif 000010
【図９】
0003191244.tif 000011
【図１０】
0003191244.tif 000012
【図１１】
0003191244.tif 000013
【図１２】
0003191244.tif 000014
【図１３】
0003191244.tif 000015